(57)【要約】  簡易な構成で身体の冷却を促進させることができる冷却特殊服を提供する。  透湿性を有するシート状素材で作製された服本体（１０）と、服本体（１０）の所定部位に外側から装着され前所定部位を身体又は下着に密着させる伸縮性のある密着手段（２０）とを備え、服本体（１０）の内面と服本体（１０）の外面との間に生じる湿度勾配により、身体からの汗を服本体（１０）の外面側に浸透させ服本体（１０）の外面で蒸発させる。
2017077720.tif 000002
【特許請求の範囲】
【請求項１】
透湿性を有するシート状素材で作製された服本体と、
前記服本体の所定部位を身体又は下着に密着させる密着手段と、
を備えることを特徴とする冷却特殊服。
【請求項２】
前記服本体は、液体又は気体に含まれている有害物質が前記服本体内に浸入することを防止する機能を有する防護服、身体又は下着から出た塵が前記服本体の外側に流出することを防止する機能を有する防塵服、或いは、レインウエアであることを特徴とする請求項１に記載の冷却特殊服。
【請求項３】
前記密着手段は、筒状のネット状素材であり、筒状の外周方向に対して伸縮性を有することを特徴とする請求項１又は２に記載の冷却特殊服。
【請求項４】
前記密着手段は、前記ネット状素材であって、左右の側部に椀部を通す切込みが施されたことを特徴とする請求項３に記載の冷却特殊服。
【請求項５】
前記密着手段は、吸水性を有することを特徴とする請求項１から４のいずれか一項に記載の冷却特殊服。
【請求項６】
前記密着手段のメッシュ状素材を構成する糸としてモノフィラメントを使用することを特徴とする請求項１から５のいずれか一項に記載の冷却特殊服。
【請求項７】
前記密着手段は、前記服本体を覆う服状に形成され、胴体に対応する部分は略ベスト状に形成され、その他の部位に対応する部分は分離していることを特徴とする請求項１から６のいずれか一項に記載の冷却特殊服。
【請求項８】
前記密着手段は、前記服本体の上に着脱自在に設けられることを特徴とする請求項１から７のいずれか一項に記載の冷却特殊服。
【請求項９】
前記密着手段は、前記服本体に一体化されていることを特徴とする請求項１から７のいずれか一項に記載の冷却特殊服。
【請求項１０】
前記服本体及び前記密着手段の上から着用する外衣と、
空気を外部から取り込んで前記服本体及び前記密着手段と前記外衣との間の空間に空気の流れを強制的に生じさせる送風手段と、
を備えることを特徴とする請求項１から９のいずれか一項に記載の冷却特殊服。
【発明の詳細な説明】
【技術分野】
【０００１】
本発明は、身体からの熱を放出させて身体の冷却を促進させる冷却特殊服に関するものである。
【背景技術】
【０００２】
有害物質が皮膚に接触するのを避けて作業を行うための防護服の素材は、液体又は気体を遮断するという機能を備えている。したがって、このような防護服を着用した場合、防護服の内側は作業者の身体からの汗によって蒸れてしまう。また、一般に、防護服の素材としては透湿性を有するシート状素材を用いてはいるものの、防護服には通気性がほとんどないため、作業者の身体の蒸れを解消することはできない。【０００３】
また、特に、外気温が高い時には、このような防護服の内部の湿度は更に上昇してしまい、防護服を着用した状態で、作業者が長時間の作業を行うことは困難になってしまうといった問題点があった。【０００４】
このため、防護服の未装着部分から外気を取り込み作業者の身体の近傍に流通させ、作業者の身体からの汗を効率よく蒸発させて作業者の身体を冷却する防護服用冷却装置を、防護服の内側に着用することにより、防護服を着用している場合であっても、作業者の身体を効果的に冷却することが知られている（例えば、特許文献１参照）。
【先行技術文献】
【特許文献】
【０００５】
【特許文献１】特開２０１０−０９１１６３号公報
【発明の概要】
【発明が解決しようとする課題】
【０００６】
しかしながら、特許文献１に記載されている防護服用冷却装置では、防護服内部に外気を導入する構成であるため、防弾服や防刃服等の防護服には好適であるものの、有害物質が服内部に浸入することを防ぐための防護服、所謂、化学防護服等においては、空気と共に有害物質までも防護服の内部に取り込んでしまい、防護服としての本来の機能を全く果たさなくなってしまい、このような防護服用冷却装置を使用できないといった問題点があった。【０００７】
本発明の課題は、簡易な構成で外気の侵入を防止しつつ身体からの熱を効率的に放出させて身体の冷却を促進させることができる冷却特殊服を提供することにある。
【課題を解決するための手段】
【０００８】
上記課題を達成するため、この発明は、
透湿性を有するシート状素材で作製された服本体と、
前記服本体の所定部位に外側から装着され前記所定部位を身体又は下着に密着させる密着手段と、
を備えることを特徴とする冷却特殊服である。【０００９】
本発明に係る冷却特殊服では、服本体を身体又は下着に密着させる密着手段を設けたことにより、服本体の内の空気層がなくなり、身体又は下着と服本体（シート状素材）との間の湿度勾配を大きくすることができ、透湿性を有するシート状素材を介して身体からの汗を効率よく服外部へ透過させることができるので、その蒸発の際の気化熱により身体の冷却を促進させることができる。【００１０】
また、服本体の外側に密着手段を設けたことにより、服本体の有する本来の機能に影響を及ぼすことはない。このため、服本体として、例えば、液体又は気体に含まれている有害物質が服本体内に浸入することを防護する機能を有するもの、又は、身体又は下着から出た塵が服本体の外側に流出することを防止する機能を有するものを用いると、服本体は、防護服又は防塵服としての本来の機能を発揮することができる。
【発明の効果】
【００１１】
本発明によれば、服本体の外側に密着手段を設けたことにより、簡易な構成で外気の侵入を防止しつつ身体からの熱を効率的に放出させて身体の冷却を促進させることができる。
【図面の簡単な説明】
【００１２】
【図１Ａ】本実施形態の冷却特殊服の概略正面図である。
【図１Ｂ】本実施形態の冷却特殊服の概略背面図である。
【図２Ａ】本実施形態の冷却特殊服の服本体の概略正面図である。
【図２Ｂ】本実施形態の冷却特殊服の服本体の概略背面図である。
【図３】身体から服本体までの距離と湿度勾配の関係を示す特性図である。
【図４】測定方法の一例を示す説明図である。
【図５】実験結果の一例を示す特性図である。
【図６】身体から服本体までの距離と身体の表面温度の関係を示す特性図である。
【図７】身体の表面温度と水蒸気透過係数の関係を示す特性図である。
【図８Ａ】冷却特殊服の他の実施形態を示す概略正面図である。
【図８Ｂ】冷却特殊服の他の実施形態を示す概略背面図である。
【図９】密着手段の他の一例を示す概略正面図である。
【図１０】密着手段を服本体の上に着用した時の概略正面図である。
【発明を実施するための最良の形態】
【００１３】
以下に、図面を参照して、本願に係る発明を実施するための形態について説明する。但し、発明の範囲は、図示例に限定されない。【００１４】
（実施形態）
まず、本実施形態について図面を参照して説明する。但し、発明の範囲は、図示例に限定されない。【００１５】
本実施形態の冷却特殊服１は、冷却促進機能を備えた、特別な用途に用いられる特殊服であり、図１Ａ及び図１Ｂに示すように、服本体１０と、密着手段２０とを備える。【００１６】
服本体１０は、透湿性を有する所定のシート状素材で作製された、身体を覆う衣服である。本実施形態では、服本体１０として、液体又は気体に含まれている有害物質が服本体１０内に浸入することを防護する機能を有するもの、すなわち化学防護服を用いることにする。【００１７】
したがって、シート状素材としては、汚染された空気や汚染された液体の浸入を防ぐことができると共に透湿性を有する素材、例えば、不織布が用いられている。なお、気体に含まれる有害物質とは気体中に浮遊する有害粒子も含む。【００１８】
また、本実施形態では、服本体１０をつづき服の形状に形成している。すなわち、服本体１０は、上半身及び下半身を覆うと共にフードにより頭部を覆うことができる。また、図２Ａ及び図２Ｂに示すように、服本体１０の前部には、ファスナー（開閉手段）１１が設けられている。このファスナー１１は、服本体１０を着用する際にその前部を開閉するためのものである。このような防護服（服本体１０）としては、市販されているものを用いることができる。【００１９】
密着手段２０は、服本体１０の所定部位を外側から内側に押し付けるようにして服本体１０の当該所定部位を身体又は下着に密着させるためのものである。本実施形態では、密着手段２０を、伸縮性を有するメッシュ状素材を用いて服本体１０全体を覆う服状に作製している。したがってこの密着手段２０単体では縮んでいるため服本体１０よりかなり小さいが服本体１０と同様な形状をしている。【００２０】
密着手段２０は、このように形成されているため服本体１０を着用するのと同様に、図１Ａ及び図１Ｂに示すような開閉手段としてのボタン２１を外し、服本体１０の上に着用しボタン２１を掛けて装着すると、伸縮性を有するメッシュ状素材が服本体１０全体を外側から内側に押し付けることにより、服本体１０全体が身体又は下着に確実に密着することができる。【００２１】
一方、従来のように、密着手段２０を装着しない場合、図２Ａ及び図２Ｂに示すように、服本体１０は、作業者の身体よりも大きめに作製されているため、所謂、ぶかぶかな状態であるため、作業者の身体（或いは、下着）と服本体１０との間に空間が生じやすくなってしまう。【００２２】
これに対して、密着手段２０を装着することにより、図１Ａ及び図１Ｂに示すように、作業者の身体にフィットして、作業者の身体（或いは、下着）と服本体１０との間に空間が生じることを防ぐことができる。【００２３】
ここで、密着手段２０の役割と冷却効果について詳しく説明する。
いま、密着手段２０が設けられておらず、例えば、身体と服本体１０との間に幅１０ｍｍの空間が生じている場合を考える。【００２４】
図３は、身体からの距離とその距離の位置での湿度との関係を示す図である。ここでは、身体の表面の湿度を１００％、外気である空気の湿度を７２％（東京における平成２６年７月〜９月（夏季）の平均湿度）としている。【００２５】
外気である空気の湿度、すなわち、服本体１０の外面の湿度が７２％であったとしても、身体の表面と服本体１０との間における湿度勾配ＭＳ３１は、図３に示すように緩やかである。【００２６】
これは、身体の表面と服本体１０との間の隙間に存在する空間の空気によって、身体から出た汗を効率よく透湿性を有する服本体１０の外面に透過させることができないからである。すなわち、身体から出た汗が気化することにより、水蒸気が当該空間内に飽和すると、汗が気化しづらくなるため、例えば、服本体１０の外面に身体に沿って大量の空気が流れていたとしても、身体から出た汗を効率よく服本体１０の外面に透過させて服本体１０の外面で蒸発させることができない。【００２７】
これに対し、本実施形態では、服本体１０の外側に密着手段２０を設け、この密着手段２０が服本体１０を身体又は下着に密着させていることにより、身体と服本体１０との間の空間をなくすことができる。【００２８】
密着手段２０が服本体１０を身体に密着させることにより、例えば、身体と服本体１０との間の距離を限りなく０ｍｍに近づければ、湿度勾配ＭＳ３２は、図３に示すように急峻になる。このため、水蒸気（汗）が透湿性を有する服本体１０の外に透過し易くなって、身体から出た汗を効率よく服本体１０の外面に透過させることができ、当該汗を服本体１０の外面で蒸発させることにより、蒸発する時の気化熱により服本体１０の外面の空気を冷却することができる。【００２９】
同時に、密着手段２０が服本体１０を身体に密着させることにより、身体の表面と服本体１０との間における温度勾配も急峻になり、服本体１０の外面における冷却されて温度の下がった空気に対して、服本体１０の内面の熱が伝導し易くなるので、空気は身体から多量の熱を効率的に奪い身体の冷却を促進させることができる。【００３０】
また、浸透性を有する服本体１０の外側に密着手段２０を装着するだけなので、服本体１０の有する本来の機能に影響を及ぼすことはない。このため、服本体１０として液体又は気体に含まれている有害物質が服本体１０内に浸入することを防護する機能を有するものを用いた場合であっても、服本体１０は防護服としての機能を発揮することができる。【００３１】
ここで、実験による身体と服本体１０との間の距離と服本体１０を透過する水蒸気（汗）の量の関係を説明する。図４に示す測定方法により測定された、身体と服本体１０との間の距離と服本体１０を透過する水蒸気（汗）の量を図５に示す。【００３２】
図４に示すように、下端が解放された密閉容器ＣＮ４１の、当該下端部分を試料ＳＭ４１（服本体に相当）で覆い、当該密閉容器ＣＮ４１の内に、水で湿らせた布地ＣＬ４１（身体の表面に相当）を、試料ＳＭ４１に対して、所定の間隔の空気の層ＡＲ４１（身体と服本体までの距離）を形成するように配置する。そして、空気流ＡＦ４１（気流）を発生させて、試料ＳＭ４１の表面に沿って空気流ＡＦ４１（気流）を流すようにする。【００３３】
また、試料ＳＭ４１としては、
試料１：ゴアテックス（登録商標）
試料２：タイベック（登録商標）
を用いる。ここで、試料１の水蒸気透過係数は、１３５００ｇ／ｍ２・２４時間であり、試料２の水蒸気透過係数は、６０００ｇ／ｍ２・２４時間（推定値）である。【００３４】
図５から分かるように、身体と服本体１０との間の距離が３０ｍｍの場合と比較して、０〜３ｍｍに密着させることにより、服本体１０を浸透する水蒸気（汗）の量が５倍程度に増加することが分かる。【００３５】
このことから、身体と服本体１０との間の距離を減らすことにより、皮膚から気化した水蒸気（汗）を服外に多量に透過させることができ、皮膚による汗の気化冷却量を増やすことが可能となることが分かる。【００３６】
また、試料１と試料２の水蒸気透過係数は試料１が１３５００ｇ／ｍ２・２４時間、試料２が６０００ｇ／ｍ２・２４時間と、その差は大きいものの、服本体１０を浸透する水蒸気（汗）の量の差はあまり大きくないこと分かる。【００３７】
なお、試料１と試料２は、それぞれ市販されている高い水蒸気透過性を備える服地であるが、身体と服本体１０との間の距離を小さくすることで布素材の高い水蒸気透過性を損なわず、より高い性能で使用することが可能となる。【００３８】
ここで、服本体１０を身体に密着させることで得られる冷却の効果について、その理由を説明する。防護服などの密閉された服本体１０内において、身体の発熱を効率的に外部へ放出し、身体の表面の温度を下げるための基本的な熱放出に関わる方法は、身体の顕熱を服本体１０よりも外へ放出させる方法、身体に備わった冷却機能である汗の気化による方法がある。【００３９】
前者は、顕熱であり、後者は、潜熱に着目したものである。後者は、気化した水蒸気が服本体１０内で飽和すると汗が気化しづらくなるため、水蒸気を服本体１０の外に効率的に通過させることが必要となる。【００４０】
身体内部の熱は皮膚を通して外部へ放熱される。汗による気化が身体の表面で起こらなければ、身体の発熱は全て顕熱による熱移動となる。汗が気化することで空気中の水蒸気量が上昇し、空気の潜熱量が上昇する。気化により潜熱へ変換された身体の発熱は、身体の表面の温度上昇を招く顕熱から除外されるため、
（身体の表面の加熱量）＝（身体の発熱）−（潜熱）
の関係となる。つまり、全ての身体の発熱が温度上昇に関わる顕熱にならない。このように身体の発熱を顕熱の放出のみではなく、潜熱の放出を最大限効果的に利用することが本発明の目的である。【００４１】
顕熱は熱伝導の形で温度の低い方（外気の側）へ向かい、身体と服本体１０との間の、衣服の服地を通過し、外気へ排出される。一方、身体の表面で気化した水蒸気は水蒸気密度（湿度）の低い方へ向かい、身体と服本体１０との間の、衣服の服地を透過し、外気へ排出される。【００４２】
このようなモデルにおいて服本体１０と身体により形成される空気層を透過する水蒸気（汗）の量（水蒸気透過量）や顕熱通過量と「身体と服本体１０との間の距離」等の関係は近似的に以下に示す式で表される。なお、式に含まれる係数は除外している。【００４３】
【数１】
2017077720.tif 000003
【００４４】
【数２】
2017077720.tif 000004
【００４５】
上記の式より「身体と服本体１０との間の距離」は水蒸気透過量及び顕熱通過量それぞれの式に含まれ、「身体と服本体１０との間の距離」を減らすことは水蒸気透過量増加と顕熱通過量増加の二重の効果につながる。【００４６】
図６は上記２式による計算により外部気流の速度と、身体と服本体１０との間の距離と、身体の表面温度との関係を示す図である。計算条件は、前述の試料１を使用し、環境条件等は気温３０°ＣＤＢ、湿度５０％、内部発熱１００Ｗ／ｍ２である。上記の条件でも、外部気流の速度が１ｍ／ｓ以上なら身体と服本体１０との間の距離を小さくすることにより、身体の表面温度は適正値である３３°Ｃ近辺とすることができる。但し、外部気流の速度の影響があるため、外部条件によっては強制的に服本体１０の外の気流を発生させると効果的である。【００４７】
また、図７は計算により得られた「身体と服本体１０との間の距離（空気層０ｍｍ、１０ｍｍ、３０ｍｍ）」と、服本体１０の水蒸気透過係数と表面温度（最終到達温度）の関係を示す図である。環境条件等は気流速度３ｍ／ｓ、気温３０°ＣＤＢ、湿度５０％、内部発熱１００Ｗ／ｍ２である。図７により、服本体１０の水蒸気透過係数が１００００ｇ／ｍ２・２４時間以上ならば、それ以上大きくしてもあまり表面温度は変化しない。つまり、１００００ｇ／ｍ２・２４時間程度あれば十分であり、水蒸気透過係数の改善よりも身体と服本体１０との間の距離の改善の効果が大きいことが分かる。この傾向は異なる外部気流の速度、温湿度条件においても同じである。
また、水蒸気透過係数が１００００ｇ／ｍ２・２４時間以下の場合でも身体と服本体１０との間の距離を小さくすることにより格段に表面温度は下がる（冷却性能が上がる）ことが分かる。【００４８】
なお、一般に透湿性がないと言われているプラスチックフィルムの場合であっても、極僅かな水蒸気透湿性があり、材質、プラスチックフィルムの厚みに依存して使用するプラスチックフィルムの場合１０〜２００ｇ／ｍ２・２４時間程度であり、このため、プラスチックフィルムの水蒸気透過係数は、大まかに１００ｇ／ｍ２・２４時間で代表することができる。【００４９】
すなわち、図７に示すように、プラスチックフィルムに相当する水蒸気透過係数が１００ｇ／ｍ２・２４時間での表面温度（最終到達温度）は、空気層の大きさにより大きく異なり、空気層３０ｍｍでは８８度であるのに対し、空気層０ｍｍでは５４度である。【００５０】
実際には、作業者の作業可能な表面温度は３６度前後であり、図７に示す空気層０ｍｍと空気層３０ｍｍとの間に約３４度程度の表面温度（最終到達温度）も差があることを勘案すると、作業可能な表面温度３６度までに到達する時間（作業可能時間）には大きな違いが生じると考えられる。【００５１】
したがって、透湿性がほとんどないプラスチックフィルム製の防護服等の場合でも、作業可能な時間の観点で密着手段２０は非常に効果があることになる。無論、一般の服の上に着用したり、冷却効果を高めるために空調服とあわせて使用することもできる。【００５２】
以上のように、本実施形態の冷却特殊服１では、服本体１０の外側に装着した密着手段２０が、服本体１０を身体又は下着に密着させるので、身体又は下着と服本体１０との間の湿度勾配が急峻になり、身体から出た汗（水蒸気）を効率よく服本体１０の外面に透過させ、蒸発する時の気化熱により冷却された服本体１０の外面の空気を冷却することができるので、当該空気が身体から多量の熱を奪い身体の冷却を促進させることができる。【００５３】
なお、本発明は上記の実施形態に限定されるものではなく、その要旨の範囲内において種々の変形が可能である。【００５４】
例えば、外気温が身体の表面の温度よりも低い場合には、外気の温度（低温側）と身体の表面の温度（高温側）との温度差による急峻な温度勾配だけで、服本体１０内部の熱が伝導し易くなるので、空気（外気）は身体から多量の熱を奪い身体の冷却を促進させることができる。【００５５】
上記の実施形態では、密着手段２０を、服本体１０の全体を覆うようにして服本体１０に装着することにより、顔等を除く体全体の冷却を促進させる場合について説明したが、密着手段２０を服本体１０の所望の部位に装着することにより、当該部位のみの冷却を促進させるようにしてもよい。【００５６】
また、服本体１０の大部分を密着手段２０により体に密着する場合でも、必ずしも服状に形成する必要はなく、腕や脚に、胴体とは分離した複数個の密着手段を使用することもできる。【００５７】
例えば、図８Ａ及び図８Ｂに示すように、密着手段２０を、胴体部用の密着手段３０、腕部用の密着手段３１、脚部用の密着手段３２となるように分離してもよい。この場合、胴体部用の密着手段３０は略ベスト状に形成することが望ましい。更に着用しやすい形状にすることにより密着手段には必ずしも開閉手段を設ける必要性がなくなるので、更に簡易な構成にすることができる。【００５８】
また、複数個に分離した全ての密着手段を使用するのではく、必要に応じて適宜選択するものであってもよい。例えば、足全体ではなく、腿の部分だけ密着手段を使用して、膝から下には、密着手段を使用しない場合であってもよい。【００５９】
また、図９に示すように、横糸に伸縮性モノフィラメントを使用して縦横に編まれた筒状のネット状素材を折りたたみ左右端の横糸を切断し椀部を通す為のスリットを施した密着手段４０であってもよい。また、図１０は、このような密着手段４０を服本体１０の上に着用した時の概略正面図である。【００６０】
ここで、図９に示す密着手段４０の製造方法について説明する。
図９に示すように、使用する筒状のネット状素材は畳んだ時の横幅（折径）７ｃｍの７号の筒状のネット状素材（日本衛材株式会社の伸縮性ネット包帯ホワイトネット）を使用し、縦長５０ｃｍに切断し、上端から１２ｃｍから２２ｃｍの間の左右の両端の横糸を切断し、上下が認識しやすいように上端から２ｃｍまでを着色（例えば、青色等）する。【００６１】
服本体１０の上に着用する場合は長さ５０ｃｍを縦方向にまとめ、まとめた左右の両端部を手でつかみ横方向に広げ足から胴体に通し、着色した上端部を引き上げスリットに両腕を通すことにより図１０に示すように着用することができる。【００６２】
また、上記の実施形態では、服本体１０と密着手段２０がそれぞれ分離した構成要素である場合で説明したが、勿論、密着手段２０を服本体１０の外側に形成して一体化するものであってもよい。【００６３】
また、上記の実施形態では、密着手段２０として伸縮性のあるメッシュ状素材を使用する場合について説明したが、例えば、日本衛材株式会社の筒状のネット包帯ＮＥ−１７７のように横糸にラテックス等の伸縮性の非常に大きな（５倍以上）素材を使用した、横方向に大きな伸縮性を有する筒状のネット状素材を使用することもできる。
また、密着手段２０は、服本体１０の所定部位を身体又は下着に密着できるものであれば、伸縮しなくてよい。例えば、プラスチック製のネット、サポーター等であってよい。【００６４】
また、密着手段２０として筒状のネット状素材を用いる場合に、胴体部を構成する径の大きなネット状素材と椀部を構成する径の小さなネット状素材と脚部を構成するネット状素材とを別々に備えてもよく、この場合、各ネット状素材が分離しても一体的に形成されていてもよい。
更に、服本体１０と密着手段２０が一体となったものでもよい。例えば、服本体１０の表面或いは裏面（内面）に密着手段２０を一体形成させてもよい。この場合には、別途、密着手段２０を着用する必要がないので、着脱が容易になる。【００６５】
更に、非常に暑い環境下で使用する防護目的の冷却特殊服には、例えば縦糸に綿繊維を使用し、吸水性の大きな伸縮性のあるメッシュ状素材（密着手段２０）を使用するのが望ましい。シャワーや霧吹き等で吸水性の大きなメッシュ状素材に水を含ませることにより、その水の気化熱によりメッシュ状素材が冷却し、身体に密着した服地を介し身体を冷却することができる。なお、縦横でなく三角編みで横方向に伸縮性を持たせるものであってもよい。【００６６】
更に、上記の実施形態では、服本体１０として、液体又は気体に含まれている有害物質が服本体１０内に浸入することを防護する機能を有する防護服を用いた場合について説明したが、服本体１０としては、身体又は下着から出た塵が服本体の外側に流出することを防止する機能を有する防塵服を用いてもよい。この場合、本発明の冷却特殊服は防塵服としての機能を完全に保持したまま十分な冷却促進機能とを兼ね備えることになる。したがって、このような冷却特殊服は、例えば、精密機器の製造工程で使用されるクリーンルームや、品質確保が要求される食品加工工場等において使用することができる。【００６７】
また、防塵服に使用する密着手段２０に使用する伸縮性のあるメッシュ状素材としては、メッシュ状素材そのものから塵が出ないようにする必要がある。そのため、メッシュ状素材を構成する糸としてモノフィラメントを使用することが望ましい。【００６８】
また、服本体１０としては水にぬれることを防護するレインウエア等を用いてもよい。【００６９】
また、上記の実施形態では、身体又は服本体１０内側から蒸発した水蒸気を積極的に透過させることで、蒸発する時の気化熱により身体の冷却量を増やしているが、服本体１０及び密着手段２０の上から着用する外衣と、空気を外部から取り込んで服本体１０及び密着手段２０と外衣との間の空間に空気の流れを強制的に生じさせる送風手段とを備える、所謂、空調服を着用することにより、冷却効果を更に高めることができる。
【産業上の利用可能性】
【００７０】
以上説明したように、本発明に係る冷却特殊服１では、簡易な構成で防護服等の服本体１０の機能を損なうことなく冷却効率を高めるのに好適である。
【符号の説明】
【００７１】
１  冷却特殊服
１０  服本体
１１  ファスナー（開閉手段）
２０、３０、３１、３２、４０  密着手段
２１  ボタン（開閉手段）
【図１Ａ】
2017077720.tif 000005
【図１Ｂ】
2017077720.tif 000006
【図２Ａ】
2017077720.tif 000007
【図２Ｂ】
2017077720.tif 000008
【図３】
2017077720.tif 000009
【図４】
2017077720.tif 000010
【図５】
2017077720.tif 000011
【図６】
2017077720.tif 000012
【図７】
2017077720.tif 000013
【図８Ａ】
2017077720.tif 000014
【図８Ｂ】
2017077720.tif 000015
【図９】
2017077720.tif 000016
【図１０】
2017077720.tif 000017
【国際調査報告】
2017077720.tif 000018
2017077720.tif 000019
2017077720.tif 000020
2017077720.tif 000021